(57)【要約】【課題】狭いスペースで開閉を行うことが可能であって、開閉動作や薄葉紙の取出しが行いやすい家庭用薄葉紙収納容器を提供する。【解決手段】上面に取出口１１を有し、内側に家庭用薄葉紙を収納する容器本体１０と、容器本体１０上面に配され、取出口１１を開閉させる蓋体２０と、を備える家庭用薄葉紙収納容器１００であって、蓋体２０の一端部は、容器本体１０に回動自在に連結され、蓋体２０には、当該蓋体２０を山折状態に折曲させる折曲部２２が備えられ、蓋体２０は、折曲部２２の折曲に伴って取出口１１を開放させる。【選択図】図１
2013136391.tif 000002
【特許請求の範囲】
【請求項１】
上面に取出口を有し、内側に家庭用薄葉紙を収納する容器本体と、
前記容器本体上面に配され、前記取出口を開閉させる蓋体と、
を備える家庭用薄葉紙収納容器であって、
前記蓋体の一端部は、前記容器本体に回動自在に連結され、
前記蓋体には、当該蓋体を山折状態に折曲させる折曲部が備えられ、
前記蓋体は、前記折曲部の折曲に伴って前記取出口を開放させることを特徴とする家庭用薄葉紙収納容器。
【請求項２】
前記蓋体の他端部には、回動軸方向に突き出た突起部が備えられ、
前記容器本体には、前記突起部に対向して前記回動軸方向に直交する方向に延在し、前記突起部を摺動自在に収納する案内部が形成されていることを特徴とする請求項１に記載の家庭用薄葉紙収納容器。
【請求項３】
前記蓋体が山折状態となる方向に付勢する付勢手段と、
前記付勢手段の付勢力に抗して前記蓋体が平面状態となるように係止すると共に、当該係止を解除可能な係止手段と、
を備えることを特徴とする請求項１又は２に記載の家庭用薄葉紙収納容器。
【請求項４】
前記取出口の周縁と前記蓋体との隙間を封止する気密手段が備えられることを特徴とする請求項１〜３の何れか一項に記載の家庭用薄葉紙収納容器。
【請求項５】
前記取出口は、前記折曲部と重ならない位置に設けられていることを特徴とする請求項１〜４の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
かかる収納容器としては、例えば、家庭用薄葉紙を収納した容器本体部に対して、水平方向へのスライド動作によって開閉を行う蓋部を設けた構成が知られている（例えば、特許文献１、２参照）。
また、家庭用薄葉紙を収納した容器本体部の上面に、その開放端を上下方向に回動させることで開閉を行う蓋部を設けた構成が知られている（例えば、特許文献３参照）。
【先行技術文献】
【特許文献】
【０００３】
【特許文献１】特開２００５−１２６１１５号公報
【特許文献２】特開平１０−３１６１８０号公報
【特許文献３】特開２００５−１７８８８２号公報
【発明の概要】
【発明が解決しようとする課題】
【０００４】
しかしながら、上記特許文献１、２記載の収納容器は、蓋部を開ける場合に奥行きが必要となり、使用に際して奥行き方向にスペースを取るものであった。また、蓋部を閉める場合に水平方向に力を加えなければならないため、滑って閉められず両手を使わなければならないといった使いづらさがあった。
また、上記特許文献３記載の収納容器は、蓋部を開ける場合に高さが必要となり、使用に際して高さ方向にスペースを取るものであった。また、蓋部を開けた状態では当該蓋部が邪魔となるため、蓋部の後ろ側から薄葉紙を取出しづらいといった使いづらさがあった。
【０００５】
本発明の課題は、狭いスペースで開閉を行うことが可能であって、開閉動作や薄葉紙の取出しが行いやすい家庭用薄葉紙収納容器を提供することである。
【課題を解決するための手段】
【０００６】
請求項１に記載の発明は、
上面に取出口を有し、内側に家庭用薄葉紙を収納する容器本体と、
前記容器本体上面に配され、前記取出口を開閉させる蓋体と、
を備える家庭用薄葉紙収納容器であって、
前記蓋体の一端部は、前記容器本体に回動自在に連結され、
前記蓋体には、当該蓋体を山折状態に折曲させる折曲部が備えられ、
前記蓋体は、前記折曲部の折曲に伴って前記取出口を開放させることを特徴とする。
【０００７】
請求項２に記載の発明は、請求項１に記載の家庭用薄葉紙収納容器において、
前記蓋体の他端部には、回動軸方向に突き出た突起部が備えられ、
前記容器本体には、前記突起部に対向して前記回動軸方向に直交する方向に延在し、前記突起部を摺動自在に収納する案内部が形成されていることを特徴とする。
【０００８】
請求項３に記載の発明は、請求項１又は２に記載の家庭用薄葉紙収納容器において、
前記蓋体が山折状態となる方向に付勢する付勢手段と、
前記付勢手段の付勢力に抗して前記蓋体が平面状態となるように係止すると共に、当該係止を解除可能な係止手段と、
を備えることを特徴とする。
【０００９】
請求項４に記載の発明は、請求項１〜３の何れか一項に記載の家庭用薄葉紙収納容器において、
前記取出口の周縁と前記蓋体との隙間を封止する気密手段が備えられることを特徴とする。
【００１０】
請求項５に記載の発明は、請求項１〜４の何れか一項に記載の家庭用薄葉紙収納容器において、
前記取出口は、前記折曲部と重ならない位置に設けられていることを特徴とする。
【発明の効果】
【００１１】
本発明によれば、上面に取出口を有し、内側に家庭用薄葉紙を収納する容器本体と、容器本体上面に配され、取出口を開閉させる蓋体と、を備える家庭用薄葉紙収納容器において、蓋体の一端部は、容器本体に回動自在に連結され、蓋体には、当該蓋体を山折状態に折曲させる折曲部が備えられ、蓋体は、折曲部の折曲に伴って取出口を開放させる構成となっている。
このため、蓋体を開く際に奥行きが必要なく、また、蓋体の一端を持ち上げることなく当該蓋体を開くことができるので、狭いスペースで開閉を行うことができる。
また、蓋体が折曲することで当該蓋体を開いた際の高さが抑えられるので、蓋体の前後両側から家庭用薄葉紙を取り出し易くすることができる。
また、折曲部に対して上から下に力を加えることで蓋体を閉めることができるので、蓋体を閉める際に水平方向に力が生じず、容器が滑ってずれ、このため両手を使う必要があるという使いづらさが生じることがない。
よって、狭いスペースで開閉を行うことが可能であって、開閉動作や薄葉紙の取出しが行いやすい家庭用薄葉紙収納容器を提供することができる。
【図面の簡単な説明】
【００１２】
【図１】本発明の実施の形態に係る家庭用薄葉紙収納容器の開けた状態を示す斜視図である。
【図２】本発明の実施の形態に係る家庭用薄葉紙収納容器の閉めた状態を示す斜視図である。
【図３】図１の家庭用薄葉紙収納容器のIII−III線における断面図である。
【図４】図２の家庭用薄葉紙収納容器のIV−IV線における断面図である。
【図５】蓋体を示す上面図である。
【図６】（ａ）は、取出口閉塞時の付勢手段の様子について示した図であり、（ｂ）は、取出口開放時の付勢手段の様子について示した図である。
【図７】付勢手段の一変形例について示した図であり、（ａ）は、取出口閉塞時の付勢手段の様子について示した図であり、（ｂ）は、取出口開放時の付勢手段の様子について示した図である。
【図８】図１に示した家庭用薄葉紙収納容器の一変形例について示した図である。
【発明を実施するための形態】
【００１３】
以下、本発明の実施の形態を図面に基づいて説明する。ただし、発明の範囲は、図示例に限定されない。
【００１４】
まず、構成について説明する。
本実施形態に係る家庭用薄葉紙収納容器１００は、図１〜４に示すように、例えば、上面に取出口１１を有し、ティシューやウェットティシュー等の家庭用薄葉紙Ｐが積層された薄葉紙積層体２００を内側の収納空間部４０に収納する容器本体１０と、容器本体１０の後端部に回動自在に連結され、取出口１１を開閉させる蓋体２０と、蓋体２０をワンタッチで開放させる開閉ボタン３０と、等を備えている。
【００１５】
ここで、薄葉紙積層体２００は、例えば、複数枚の家庭用薄葉紙Ｐが積層された詰替え用の薄葉紙積層体であって、容器本体１０に形成された取出口１１から家庭用薄葉紙Ｐを継続して取り出せるように交互に折り重ねられた状態で積層されている。即ち、家庭用薄葉紙Ｐを取出口１１から容器本体１０の外側へ引き出したときに、次の家庭用薄葉紙Ｐの上端が取出口１１よりも突出する位置まで収納空間部４０から引き出されるようになっている。
なお、薄葉紙積層体２００を、包装体により内包することとしても良い。特に、家庭用薄葉紙Ｐがウェットティシューである場合には、薄葉紙積層体２００を防湿性の包装体により内包することが好ましい。
【００１６】
また、容器本体１０、蓋体２０、及び開閉ボタン３０の材質としては、例えば、ポリプロピレン、ポリエチレン、ポリエチレンテレフタレート、ＡＢＳ（Acrylonitrile Butadiene Styrene）等の熱可塑性樹脂が用いられ、家庭用薄葉紙収納容器１００は、各パーツを、ブロー成形、インジェクション成形、ブローインジェクション成形等により作製して組み上げることにより製造される。
【００１７】
容器本体１０は、当該容器本体１０の上面を構成する上面部１０ａと、当該容器本体１０の前後左右の側面を構成する側面部１０ｂと、当該容器本体１０の底面を構成する底面部１０ｃと、を備え、上面部１０ａ、側面部１０ｂ、及び底面部１０ｃにて囲まれた空間が、薄葉紙積層体２００を収納する収納空間部４０となっている。
また、底面部１０ｃは、容器本体１０に着脱自在に取り付けられる底蓋として機能し、容器本体１０から底面部１０ｃを取り外すことにより、薄葉紙積層体２００を収納空間部４０に詰めるための挿入口となる開口部（図示省略）が形成されるようになっている。
なお、上面部１０ａ或いは側面部１０ｂの何れか一面を取り外すことにより、薄葉紙積層体２００を収納空間部４０に詰めるための挿入口（開口部）が形成されるように構成することも可能である。
【００１８】
容器本体１０の上面部１０ａの前部（長手方向の片側）における、左右方向（短手方向）略中央には、取出口１１が形成されている。
取出口１１は、容器本体１０の内部の収納空間部４０に収納された家庭用薄葉紙Ｐを取り出すため楕円形状に形成された開口である。
取出口１１は、蓋体２０が山折状態（図１、３参照）となった場合に開放され、このとき家庭用薄葉紙Ｐは、取出口１１を通じて一枚毎に収納空間部４０から外部に引き出すことができるようになっている。
また、取出口１１は、蓋体２０が平面状態（図２、４参照）となった場合に閉塞されるようになっている。
【００１９】
取出口１１の周縁には、エラストマー、シリコン、ゴムなどの弾性部材１２を設けることが好ましい。
弾性部材１２は、上面部１０ａの表面より凸となる所定の厚みを有し、蓋体２０が平面状態となった場合に当該蓋体２０の下面に密着し（図４参照）、取出口１１の周縁と蓋体２０との隙間を封止する気密手段として機能している。
特に、家庭用薄葉紙Ｐがウェットティシューである場合には、上記したように気密性の高い構成とすることで、蓋体２０が閉められた状態において家庭用薄葉紙Ｐに含浸した薬液が蒸発するのを防止することができるため好ましい。
なお、この弾性部材１２は、蓋体２０の裏面の取出口１１と対向する位置に設けることとしても良いし、取出口１１の周縁と蓋体２０の裏面の両方に設けても良い。かかる構成であっても、弾性部材１２は、取出口１１の周縁と蓋体２０との隙間を封止することが可能である。
【００２０】
また、容器本体１０の前後左右の側面部１０ｂの上縁部１３は、上面部１０ａの表面より上方に突出しており、蓋体２０は、平面状態において、上面部１０ａの表面及び上縁部１３の形成する空間内に収まって略面一となる。
【００２１】
また、左右側面部１０ｂの上縁部１３、１３には、容器本体１０の前後方向（回動軸方向に直交する方向）に延在するスリット１４が形成されることが好ましい。スリット１４は、左右側面部１０ｂの上縁部１３、１３において、容器本体１０の前部から中央部に亘る位置に連続的に形成されている。
このスリット１４は、蓋体２０の突起部２３（後述）に対向する位置に形成され、当該突起部２３を摺動自在に収納する案内部として機能している。
即ち、スリット１４は、蓋体２０が平面状態（図２、４参照）から山折状態（図１、３参照）に移行する場合、或いは山折状態から平面状態に移行する場合、この移行に伴う突起部２３の移動を当該スリット１４内（容器本体１０の前後方向）に規制するものであって、これにより、上記蓋体２０の移行の際に、蓋体２０の前端部が容器本体１０から離間することがなく、蓋体２０をスムーズに開閉することができることとなる。
【００２２】
蓋体２０は、容器本体１０の上面部１０ａの上側に設置され、取出口１１を開閉可能に覆う板状部材である（図５参照）。
蓋体２０の後端部には、左右両側方に向かってそれぞれ突出する回動軸２１、２１が設けられ、この回動軸２１、２１が、容器本体１０の左右側面部１０ｂの上縁部１３、１３の後端部に形成された貫通孔（図示省略）に嵌め込まれて固定されることで、蓋体２０の後端部は、容器本体１０に回動自在に連結されている。
なお、貫通孔の代わりに、上縁部１３、１３の内面側に形成した溝に回動軸２１、２１を嵌める構成であっても良い。
【００２３】
蓋体２０の中央部には、蓋体２０の短手方向（左右方向）に沿って延在する折曲部２２が設けられている。
折曲部２２は、蓋体２０に左右方向に沿った切り込みを入れることやヒンジ部の設置、左右方向に延在する肉薄部を成形することなどにより形成され、蓋体２０が開けられる場合に、平面状態の蓋体２０を山折状態に折曲させる。
このように、折曲部２２は凹凸や開孔部を有する場合が多く、気密性を保持しやすいよう、取出口１１は折曲部２２と重ならない位置となるように設定するのが好ましい。もちろん、折曲部２２を含む蓋体２０の裏面と取出口１１との間に隙間ができないようになっていれば、これらを重なる位置に設定することも可能である。
【００２４】
また、蓋体２０の前端部には、回動軸方向（左右方向）に突き出た突起部２３、２３が備えられることが好ましい。
突起部２３、２３は、前述した容器本体１０の上縁部１３に形成されたスリット１４内に摺動可能に収納されている。
突起部２３、２３は、蓋体２０が平面状態から山折状態に移行する場合、これに伴ってスリット１４内を容器本体１０の前部側から中央部側に移動する一方、蓋体２０が山折状態から平面状態に移行する場合、これに伴ってスリット１４内を容器本体１０の中央部側から前部側に移動する。
【００２５】
また、蓋体２０の裏面の左右両側部には、一端が蓋体２０の後端部に固定され、他端が蓋体２０の前端部に固定された引張コイルばね２４が備えられることが好ましい（図６（ａ）（ｂ）参照）。
引張コイルばね２４は、付勢手段として蓋体２０を山折状態となる方向に付勢しており、蓋体２０前端部の係止（後述）が解除されると、この引張コイルばね２４の付勢力によって蓋体２０の前端部が後端部側に引っ張られ、蓋体２０が折曲部２２にて折曲し、取出口１１が開放されるようになっている。
【００２６】
なお、引張コイルばね２４の代わりに、例えば、蓋体２０Ａの折曲部２２に、蓋体２０Ａを山折状態となる方向に付勢したねじりコイルばね２４Ａを備えることとしても良い（図７（ａ）（ｂ）参照）し、図示は省略するが、板ばね等を備えることとしても良い。
かかる構成であっても、蓋体２０Ａの前端部の係止が解除されると、ばねの付勢力で蓋体２０の前端部が後端部側に引っ張られ、蓋体２０が折曲部２２にて折曲し、取出口１１が開放される。
【００２７】
また、本実施形態においては、上記したように、付勢手段として引張コイルばね２４及びねじりコイルばね２４Ａを例示しているが、付勢手段としては、これ以外にも、例えば、エラストマー、シリコン、ゴム等の伸縮性のある部材を用いることができる。
【００２８】
また、蓋体２０の前端部中央には、凹形状の切り欠き部２５が形成されている。かかる切り欠き部２５は、蓋体２０が折曲される場合に、蓋体２０の前端部が、取出口１１近傍において、取出口１１から突出した家庭用薄葉紙Ｐの先端や弾性部材１２等に引っ掛かることで、取出口１１の開放が妨げられるのを防ぐためのものである。
また、切り欠き部２５の左右両側の蓋体２０の裏面には、開閉ボタン３０の係止爪３１、３１（後述）と係止される係止爪２６、２６が設けられている。
また、この切り欠き部２５により形成された空間には、蓋体２０が平面状態の場合に、開閉ボタン３０が収納されるようになっている。
【００２９】
開閉ボタン３０は、容器本体１０の上面部１０ａの前端側中央部の、蓋体２０の切り欠き部２５により形成される空間に収まる位置に配置されている。
開閉ボタン３０は、蓋体２０の係止爪２６、２６と係止される係止爪３１、３１を備え、これら係止爪同士が係止されることによって、引張コイルばね２４の付勢力に抗して蓋体２０を平面状態に係止することができるようになっている。
また、開閉ボタン３０を押し下げることによって係止爪同士の係止が解除されるようになっている。
このように、蓋体２０の係止爪２６、２６及び開閉ボタン３０の係止爪３１、３１は、係止手段として機能している。
【００３０】
次に、本実施形態の家庭用薄葉紙収納容器１００の作用について説明する。
蓋体２０は、平面状態で係止爪２６、２６及び係止爪３１、３１により係止されている。この状態から指先で開閉ボタン３０を押すことにより係止を解除すると、引張コイルばね２４により蓋体２０の前端部が後端部側に引っ張られるため、蓋体２０の前端部の突起部２３が自動的にスリット１４内を容器本体１０の前部側から中央部側に摺動すると共に、蓋体２０の折曲部２２が自動的に折れ曲がって蓋体２０が山折状態となり、ワンタッチで取出口１１が開放されることとなる。
このとき、蓋体２０の前端部に切り欠き部２５が形成されているため、蓋体２０の前端部が取出口１１近傍（取出口１１から突出した家庭用薄葉紙Ｐの先端や弾性部材１２等）で引っ掛かることがない。
この状態において、家庭用薄葉紙Ｐは、使用者により取出口１１から一枚ずつ引き出されて使用される。
また、家庭用薄葉紙Ｐを引き出した後、山折状態となっている蓋体２０の折曲部２２を指先で下方に押すことにより、蓋体２０を引張コイルばね２４の付勢力に抗して平面状態に戻すと、再び係止爪２６、２６により係止され、弾性部材１２が蓋体２０の裏面に密着した状態で取出口１１が閉塞される。
【００３１】
以上のように、本実施形態によれば、上面に取出口１１を有し、内側に家庭用薄葉紙Ｐを収納する容器本体１０と、容器本体１０上面に配され、取出口１１を開閉させる蓋体２０と、を備える家庭用薄葉紙収納容器１００であって、蓋体２０の一端部（後端部）は、容器本体１０に回動自在に連結され、蓋体２０には、当該蓋体２０を山折状態に折曲させる折曲部２２が備えられ、蓋体２０は、折曲部２２の折曲に伴って取出口１１を開放させる構成となっている。
このため、蓋体２０を開く際に奥行きが必要なく、また、蓋体２０の前端を持ち上げることなく当該蓋体２０を開くことができるので、狭いスペースで開閉を行うことができる。
また、蓋体２０が折曲することで当該蓋体２０を開いた際の高さが抑えられるので、蓋体２０の前後両側から家庭用薄葉Ｐを取り出し易くすることができる。
また、折曲部２２に対して下方向に力を加えることで蓋体２０を閉めることができるので、蓋体２０を閉める際に水平方向に力が生じず、容器本体１０が滑ってずれ、このため両手を使う必要があるという使いづらさが生じることがない。
よって、狭いスペースで開閉を行うことが可能であって、開閉動作や家庭用薄葉紙Ｐの取出しが行いやすい家庭用薄葉紙収納容器１００を提供することができる。
【００３２】
また、本実施形態によれば、蓋体２０の他端部（前端部）には、回動軸方向（左右方向）に突き出た突起部２３、２３が備えられ、容器本体１０には、突起部２３、２３に対向して回動軸方向に直交する方向（前後方向）に延在し、突起部２３、２３を摺動自在に収納する案内部（スリット１４）が形成されている。
このため、蓋体２０が山折状態又は平面状態に移行する場合、突起部２３、２３は、これに伴ってスリット１４、１４内を前後方向に摺動することとなるので、蓋体２０の前端部が容器本体１０から離間することがなく、蓋体２０をスムーズに開閉することができる。
【００３３】
また、本実施形態によれば、蓋体２０が山折状態となる方向に付勢する付勢手段（引張コイルばね２４、ねじりコイルばね２４Ａ）と、付勢手段の付勢力に抗して蓋体２０が平面状態となるように係止すると共に、当該係止を解除可能な係止手段（係止爪２６、２６及び係止爪３１、３１）と、を備えている。
このため、開閉ボタン３０を操作し蓋体２０の前端における係止が解除されると、付勢手段の付勢力によって蓋体２０が山折状態に折曲するので、開閉ボタン３０をワンタッチ操作するだけで蓋体２０を開くことができ利便性が高い。
【００３４】
また、本実施形態によれば、取出口１１の周縁と蓋体２０との隙間を封止する気密手段（弾性部材１２）が備えられる。
このため、蓋体２０が閉められた状態において気密性が高く、家庭用薄葉紙Ｐがウェットティシューである場合、家庭用薄葉紙Ｐに含浸した薬液が蒸発するのを防止することができる。
【００３５】
また、本実施形態によれば、取出口１１は、折曲部２２と重ならない位置に設けられている。
このため、気密性を保持しやすい構成とすることができる。
【００３６】
なお、上記実施形態においては、蓋体２０の長手方向の中央部を折曲させる構成を例示して説明したが、例えば、図８に示すように、短手方向の中央部を折曲させる蓋体２０Ｂを備えた家庭用薄葉紙収納容器１００Ａとすることも可能である。
また、取出口１１は、長手方向や短手方向に偏倚した位置ではなく、長手方向及び短手方向の中央に配置することも可能である。
【００３７】
また、上記実施形態においては、突起部２３、突起部２３の移動を規制する案内部、及び付勢手段を全て備えた構成を例示して説明したが、突起部２３、案内部、及び付勢手段を備えない構成とすることもできる。また、突起部２３及び案内部を備え、付勢手段は備えない構成としても良いし、付勢手段を備え、突起部２３及び案内部を備えない構成としても良い。
これらの何れの構成であっても、狭いスペースで開閉を行うことができ、蓋体２０の前後両側から家庭用薄葉紙Ｐを取り出し易くすることができる。また、折曲部２２に対して下方向に力を加えることで蓋体２０を閉めることができるので、容器本体１０が滑る恐れがなく使いやすい。即ち、狭いスペースで開閉を行うことが可能であって、開閉動作や薄葉紙の取出しが行いやすい構成とすることができる。
【００３８】
また、上記実施形態においては、容器本体１０及び蓋体２０を別体とする構成を例示して説明したが、蓋体２０が容器本体１０上面の一端部に回動自在に連結されていればこれに限定されるものではなく、例えば、容器本体１０及び蓋体２０を一体的に形成することも可能である。
【００３９】
また、上記実施形態においては、付勢手段として引張コイルばね２４及びねじりコイルばね２４Ａを例示したが、付勢手段としてシート状のゴム等を用い、蓋体の裏面に少なくとも取出口１１全体を覆うように設置することとしても良い。このように構成した場合、取出口１１に付勢手段が密着するため、気密性をより高めることができるし、弾性部材１２等の気密手段を省略することも可能となる。また、取出口１１が折曲部２２と重なる位置に配置される場合でも気密性を保持することが可能となる。
【００４０】
また、上記実施形態においては、蓋体２０に折曲部２２が１つ設けられた構成を例示して説明したが、蓋体２０に複数の折曲部２２を設けることとしても良い。
【００４１】
また、上記実施形態においては、案内部として左右側面部１０ｂの上縁部１３、１３を貫通したスリット１４を形成した構成を例示して説明したが、案内部は突起部２３の移動を前後方向に規制できるものであれば良く、左右側面部１０ｂの上縁部１３、１３の内面にガイド溝を形成することとしても良い。
【符号の説明】
【００４２】
１００、１００Ａ  家庭用薄葉紙収納容器
１０  容器本体
１０ａ  上面部
１０ｂ  側面部
１０ｂ  左右側面部
１０ｃ  底面部
１１  取出口
１２  弾性部材（気密手段）
１３  上縁部
１４  スリット（案内部）
２０、２０Ａ、２０Ｂ  蓋体
２１  回動軸
２２  折曲部
２３  突起部
２４  引張コイルばね（付勢手段）
２４Ａ  ねじりコイルばね（付勢手段）
２５  切り欠き部
２６  係止爪（係止手段）
３０  開閉ボタン
３１  係止爪（係止手段）
４０  収納空間部
２００  薄葉紙積層体
Ｐ  家庭用薄葉紙
【図１】
2013136391.tif 000003
【図２】
2013136391.tif 000004
【図３】
2013136391.tif 000005
【図４】
2013136391.tif 000006
【図５】
2013136391.tif 000007
【図６】
2013136391.tif 000008
【図７】
2013136391.tif 000009
【図８】
2013136391.tif 000010